(57)【要約】【課題】直観的に状態やレベルを認識できるなど、ユーザー感覚に適応した情報表示を提供する。【解決手段】状態情報またはレベル情報が入力される入力部（４）と、異なる二以上の基準情報に共通する固定表示部、基準情報毎に異なる切替え表示部を含む複数の表示情報を各基準情報に関係付けて格納した記憶部（８）と、入力情報が何れの基準情報に該当するかを判定し、該基準情報に該当する表示情報を記憶部（８）から読み出して表示情報を生成させ、または該表示情報に出力中の表示情報を更新する制御部（６）と、表示情報により画像を表示しまたは該画像に表示中の画像を更新する表示部（１０）とを備える。【選択図】図１
2019174036.tif 000002
【特許請求の範囲】
【請求項１】
状態情報またはレベル情報が入力される入力部と、
異なる二以上の基準情報に共通する固定表示部、前記基準情報毎に異なる切替え表示部を含む複数の表示情報を各基準情報に関係付けて格納した記憶部と、
入力情報が何れの基準情報に該当するかを判定し、該基準情報に該当する表示情報を前記記憶部から読み出して表示情報を生成させ、または該表示情報に出力中の表示情報を更新する制御部と、
前記表示情報により画像を表示しまたは該画像に表示中の画像を更新する表示部と、
を備えることを特徴とする表示システム。
【請求項２】
前記表示情報は、低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を表すことを特徴とする請求項１に記載の表示システム。
【請求項３】
前記表示情報は、前記固定表示部に斜面部を含む山表示を備え、かつ前記切替え表示部に前記山表示の前記斜面部を登る登山者表示、該登山者表示の移動を表す段階表示を備え、前記山表示に対する前記登山者表示および前記段階表示の位置を以て状態またはレベルを表示することを特徴とする請求項１または２に記載の表示システム。
【請求項４】
状態情報またはレベル情報を取り込む機能と、
異なる二以上の基準情報に共通する固定表示部、前記基準情報毎に異なる切替え表示部を含む複数の表示情報を前記基準情報に関係付けて記憶部に格納する機能と、
入力情報が何れの基準情報に該当するかを判定し、該基準情報に該当する表示情報を前記記憶部から読み出して表示情報を生成させ、または該表示情報に出力中の表示情報を更新する機能と、
前記表示情報により画像を表示しまたは該画像に表示中の画像を更新する機能と、
を前記コンピュータで実現するためのプログラム。
【請求項５】
機器を操作するリモコン装置であって、
前記機器から状態情報またはレベル情報が入力される入力部と、
異なる二以上の基準情報に共通する固定表示部、前記基準情報毎に異なる切替え表示部を含む複数の表示情報を各基準情報に関係付けて格納した記憶部と、
入力情報が何れの基準情報に該当するかを判定し、該基準情報に該当する表示情報を前記記憶部から読み出して表示情報を生成させ、または出力中の表示情報を該表示情報に更新する制御部と、
前記表示情報により画像を表示しまたは該画像に表示中の画像を更新する表示部と、
を備えることを特徴とするリモコン装置。
【請求項６】
上水、浴槽水または暖房水を温水化する給湯システムであって、
熱源を備えて上水、浴槽水または暖房水を加熱する熱源機と、
前記熱源機から状態情報またはレベル情報が入力される入力部と、
異なる二以上の基準情報に共通する固定表示部、前記基準情報毎に異なる切替え表示部を含む複数の表示情報を各基準情報に関係付けて格納した記憶部と、
入力情報が何れの基準情報に該当するかを判定し、該基準情報に該当する表示情報を前記記憶部から読み出して表示情報を生成させ、または出力中の表示情報を該表示情報に更新する制御部と、
前記表示情報により画像を表示しまたは該画像に表示中の画像を更新する表示部と、
を備えることを特徴とする給湯システム。
【発明の詳細な説明】
【技術分野】
【０００１】
本発明はたとえば、給湯システムなどの機器や該機器のリモコン装置などにおけるレベル情報や制御情報の表示技術に関する。
【背景技術】
【０００２】
レベル情報や制御情報を監視すべき機器としてたとえば、ふろ給湯装置では浴室内や浴室外のたとえば台所などにリモコン装置が備えられる。このリモコン装置では表示部を備えて水位や湯温などが表示される。その表示が現在状態を表し、目標値に対する達成状態や、湯温が入浴可能かなどの判断に利用される。
このリモコン装置の表示に関し、消費すべき目標エネルギーと実際の消費エネルギーとから達成レベルを算出し、達成レベルに応じた表示パターンを表示することが知られている（たとえば、特許文献１）。
このリモコン表示について、現在情報と設定値情報との比較により、到達度合いを表す出力情報を数値で表すことが知られている（たとえば、特許文献２）。
【先行技術文献】
【特許文献】
【０００３】
【特許文献１】特開２０１１−１６６５０４号公報
【特許文献２】特開２０１６−２０５７２７号公報
【発明の概要】
【発明が解決しようとする課題】
【０００４】
ところで、温度などの状態推移を表示する場合、状態を表す数値などを詳細に表示すれば、提供情報が精緻化され、情報量が多くなる反面、ユーザーにすれば、判読しがたいし、確認が面倒であるなどの課題がある。ユーザーが真に知りたい情報は精緻な数値情報ではなく、概算的な情報であればよい。その表示が水位であれば、十分である、少ない、入浴には適さないなどの感覚的であればよい。数値表示が正確な値を示していても、直観的に水位の状態を知ることができない、水位表示がユーザー感覚との間にずれがあると却って表示が曖昧であるなどの課題がある。
【０００５】
そこで、本発明の目的は上記課題に鑑み、直観的に状態やレベルを認識できるなど、ユーザー感覚に適応した情報表示を提供することにある。
【課題を解決するための手段】
【０００６】
上記目的を達成するため、本発明の表示システムの一側面によれば、状態情報またはレベル情報が入力される入力部と、異なる二以上の基準情報に共通する固定表示部、前記基準情報毎に異なる切替え表示部を含む複数の表示情報を各基準情報に関係付けて格納した記憶部と、入力情報が何れの基準情報に該当するかを判定し、該基準情報に該当する表示情報を前記記憶部から読み出して表示情報を生成させ、または該表示情報に出力中の表示情報を更新する制御部と、前記表示情報により画像を表示しまたは該画像に表示中の画像を更新する表示部とを備える。
この表示システムにおいて、前記表示情報は、低レベルを表す低レベル表示、高レベルを表す高レベル表示、前記低レベルと前記高レベルの間の中間レベルを表す中間レベル表示に共通の固定表示部とともに切替え表示部を含み、該切替え表示部に生じる表示変化で前記低レベル表示、前記中間レベル表示または前記高レベル表示を表してよい。
この表示システムにおいて、前記表示情報は、前記固定表示部に斜面部を含む山表示を備え、かつ前記切替え表示部に前記山表示の前記斜面部を登る登山者表示、該登山者表示の移動を表す段階表示を備え、前記山表示に対する前記登山者表示および前記段階表示の位置を以て状態またはレベルを表示してよい。
【０００７】
上記目的を達成するため、本発明のプログラムの一側面によれば、状態情報またはレベル情報を取り込む機能と、異なる二以上の基準情報に共通する固定表示部、前記基準情報毎に異なる切替え表示部を含む複数の表示情報を前記基準情報に関係付けて記憶部に格納する機能と、入力情報が何れの基準情報に該当するかを判定し、該基準情報に該当する表示情報を前記記憶部から読み出して表示情報を生成させ、または該表示情報に出力中の表示情報を更新する機能と、前記表示情報により画像を表示しまたは該画像に表示中の画像を更新する機能とを前記コンピュータで実現する。
【０００８】
上記目的を達成するため、本発明のリモコン装置の一側面によれば、機器から状態情報またはレベル情報が入力される入力部と、異なる二以上の基準情報に共通する固定表示部、前記基準情報毎に異なる切替え表示部を含む複数の表示情報を各基準情報に関係付けて格納した記憶部と、入力情報が何れの基準情報に該当するかを判定し、該基準情報に該当する表示情報を前記記憶部から読み出して表示情報を生成させ、または出力中の表示情報を該表示情報に更新する制御部と、前記表示情報により画像を表示しまたは該画像に表示中の画像を更新する表示部とを備える。
【０００９】
上記目的を達成するため、本発明の給湯システムの一側面によれば、上水、浴槽水または暖房水を温水化する給湯システムであって、熱源を備えて上水、浴槽水または暖房水を加熱する熱源機と、前記熱源機から状態情報またはレベル情報が入力される入力部と、異なる二以上の基準情報に共通する固定表示部、前記基準情報毎に異なる切替え表示部を含む複数の表示情報を各基準情報に関係付けて格納した記憶部と、入力情報が何れの基準情報に該当するかを判定し、該基準情報に該当する表示情報を前記記憶部から読み出して表示情報を生成させ、または出力中の表示情報を該表示情報に更新する制御部と、前記表示情報により画像を表示しまたは該画像に表示中の画像を更新する表示部とを備える。
【発明の効果】
【００１０】
本発明によれば、次のいずれかの効果が得られる。
(1) 固定表示部を視覚の認識基準として切替え表示部の表示変化から状態やレベルを容易に認識してレベルを感じ取ることができ、ユーザーが直観的にたとえば、現在の状態や状態変化を認識できる。
(2) 切替え表示からたとえば、状態やレベルのトレンドを容易に感得でき、表示からユーザーがたとえば、最適状態への到達を容易に予測することができる。
【図面の簡単な説明】
【００１１】
【図１】一実施の形態に係る表示システムを示す図である。
【図２】ＡおよびＢは表示情報ファイルを示す図、Ｃは入力情報変換ファイルを示す図である。
【図３】表示の処理手順を示すフローチャートである。
【図４】Ａは実施例１に係る最低レベル表示を示す図、Ｂは実施例１に係る中間レベル表示を示す図、Ｃは実施例１に係る最高レベル表示を示すである。
【図５】Ａは山表示を説明するための図、Ｂは背景表示から抜き山表示を説明するための図である。
【図６】Ａは固定表示部を説明するための図、ＢないしＦは切替え表示部を説明するための図である。
【図７】レベル表示の処理手順を示すフローチャートである。
【図８】Ａは、実施例２に係る給湯システムを示す図、Ｂは給湯システムにおけるリモコン装置を示す図である。
【図９】Ａはリモコン装置の前面パネル部を示す図、Ｂはリモコン表示を示す図である。
【図１０】Ａは到達表示を示す図、Ｂは到達前の８０〔％〕以上〜１００〔％〕未満の状態表示を示す図、Ｃは到達前の６０〔％〕以上〜８０〔％〕未満の状態表示を示す図、Ｄは到達前の４０〔％〕以上〜６０〔％〕未満の状態表示を示す図、Ｅは到達前の２０〔％〕以上〜４０〔％〕未満の状態表示を示す図、Ｆは到達前の２０〔％〕未満の状態表示を示す図である。
【図１１】実施例２に係る状態表示の処理手順を示すフローチャートである。
【図１２】実施例３に係る表示パターンを示す図である。
【図１３】実施例４に係るリモコン装置の表示画面部の表示を示す図である。
【発明を実施するための形態】
【００１２】
＜表示システム＞
図１は、一実施の形態に係る表示システムを示している。図１に示す構成は一例であり、斯かる構成に本発明が限定されるものではない。
この表示システム２には入力部４、制御部６、記憶部８および表示部１０が備えられる。入力部４は制御部６の制御により、図示しない機器などから状態情報またはレベル情報が入力される。
【００１３】
制御部６はたとえば、コンピュータで構成され、記憶部８にあるＯＳ（Operating System）や表示プログラムなどを実行して表示情報の生成や更新を行い、該表示情報に応じた画像を表示部１０に表示させる。
記憶部８にはＲＯＭ（Read-Only Memory）、ＲＡＭ（Random-Access Memory）、ＥＥＰＲＯＭ（Electrically Erasable Programmable Read-Only Memory ）などの記憶素子が備えられ、ＯＳや表示プログラムとともに表示情報が格納される。
表示部１０はたとえば、ＬＣＤ（Liquid Crystal Display）などを備え、制御部６の制御により、表示情報を表す画像を表示画面に展開する。
【００１４】
＜制御部６による制御＞
制御部６による制御には、情報取り込み制御１２、表示情報格納制御１４、入力情報変換制御１６、表示情報生成・更新制御１８、画像制御２０が含まれる。
ａ）情報取り込み制御１２
制御６は、入力部４を通じて図示しない機器から状態情報やレベル情報の取り込みを行う。
ｂ）表示情報格納制御１４
制御部６は記憶部８に二以上の基準情報および表示情報を格納する。基準情報は、状態情報やレベル情報の基準を表す情報であり、たとえば、レベルを表す情報でよい。表示情報は異なる二以上の基準情報に共通する固定表示部、基準情報毎に異なる切替え表示部を含み、基準情報毎に設定される。したがって、制御部６は二以上の表示情報を基準情報に関係付けて記憶部８に格納する。つまり、異なる基準情報に該当する表示情報が格納される。
【００１５】
ｃ）入力情報変換制御１６
制御部６は、入力部４に加えられた入力情報が何れの基準情報に該当するかを判定し、入力情報を表示情報に変換する。つまり、制御部６は状態情報やレベル情報が何れの基準情報に該当するかが判断し、該当する基準情報を特定することにより、入力情報を表示情報に変換して出力する。
ｄ）表示情報生成・更新制御１８
制御部６は、基準情報に該当する表示情報を記憶部８から読み出して表示情報を生成させ、または生成した表示情報に出力中の表示情報を更新する。
ｅ）画像制御２０
制御部６は、表示部１０を制御し、表示情報により画像を表示しまたは該画像に表示中の画像を更新する。
【００１６】
＜表示情報ファイル２２＞
記憶部８には表示情報を格納するための表示情報ファイル２２が備えられる。図２のＡは表示情報ファイル２２の一例である。
この表示情報ファイル２２には基準情報部２６、表示情報部２８が備えられ、表示情報部２８には固定表示情報部３０および切替え表示情報部３２が備えられる。
基準情報部２６には基準情報Ｒ１、Ｒ２、・・・、Ｒｎが格納される。表示情報部２８には基準情報Ｒ１、Ｒ２、・・・、Ｒｎに関係付けられた異なる表示情報Ｍ１、Ｍ２、・・・、Ｍｎが格納される。
【００１７】
表示情報Ｍは固定情報Ｆと切替え情報Ｘとを含む。固定情報Ｆは基準情報Ｒ１、Ｒ２、・・・、Ｒｎに共通する共通情報Ｆｃである。これに対し、切替え情報Ｘは基準情報Ｒ１、Ｒ２、・・・、Ｒｎに対応して異なる切替え情報Ｘ１、Ｘ２、・・・、Ｘｎである。したがって、複数の表示情報Ｍ１、Ｍ２、・・・、Ｍｎは、
Ｍ１＝Ｆｃ＋Ｘ１                    ・・・(1) 
Ｍ２＝Ｆｃ＋Ｘ２                    ・・・(2) 
・
・
Ｍｎ＝Ｆｃ＋Ｘｎ                    ・・・(3) 
で表すことができる。つまり、選択された基準情報Ｒ１、Ｒ２、・・・、Ｒｎが異なる切替え情報Ｘ１、Ｘ２、・・・、Ｘｎで変化する表示情報Ｍ１、Ｍ２、・・・、Ｍｎに変換される。
この表示情報ファイル２２は図２のＡでは固定情報Ｆと切替え情報Ｘを分離しているが、図２のＢに示すように一体化してもよい。
【００１８】
＜入力情報変換ファイル２４＞
記憶部８には入力情報を表示情報に変換して格納するための入力情報変換ファイル２４が備えられる。図２のＣは入力情報変換ファイル２４の一例である。
入力情報変換ファイル２４には、入力情報部３４、基準情報部３６および表示情報部３８が備えられる。
入力情報部３４には単一または複数の入力情報が格納される。この入力情報部３４は、時系列で随時に複数の入力情報を格納してもよいが、従前の入力情報を更新して格納してよい。基準情報部３６には入力情報が該当する基準情報Ｒが格納される。表示情報部３８には選択された基準情報Ｒに該当するたとえば、現在表示中の表示情報Ｍ、つまり入力情報を変換した表示情報Ｍが格納される。
【００１９】
＜表示システム２の処理手順＞
図３は、表示システム２の処理手順を示している。この処理手順において、Ｓは工程、Ｓに付された番号は工程順を示している（以下同じ）。
この処理手順では、初期化の後、制御部６は入力部４を通じて状態情報またはレベル情報の取り込みを行う（Ｓ１０１）。
制御部６は表示情報を生成する（Ｓ１０２）。この表示情報は、既述したように異なる二以上の基準情報Ｒ１、Ｒ２、・・・、Ｒｎに共通する固定表示部（共通情報Ｆｃ）、基準情報Ｒ１、Ｒ２、・・・、Ｒｎ毎に異なる切替え表示部（切替え情報Ｘ１、Ｘ２、・・・、Ｘｎ）を含む複数の表示情報Ｍ１、Ｍ２、・・・、Ｍｎを基準情報Ｒ１、Ｒ２、・・・、Ｒｎに関係付けて記憶部８の表示情報ファイル２２に格納する。
なお、この表示情報ファイル２２には表示情報Ｍ１、Ｍ２、・・・、Ｍｎを予め格納しておいてもよい。
【００２０】
制御部６は入力情報が何れの基準情報に該当するかを判定し（Ｓ１０３）、入力情報に該当する基準情報を選択する。制御部６は、基準情報に該当する表示情報を記憶部８から読み出して表示情報を生成させ、または出力中の表示情報を該表示情報に更新する（Ｓ１０４）。入力情報変換ファイル２４に表示すべき表示情報Ｍが格納され、表示中であれば表示情報が更新される。
そして、制御部６は、表示情報により画像を表示しまたは該画像に表示中の画像を更新し（Ｓ１０５）、表示制御を継続するため、Ｓ１０１に戻る。
【００２１】
＜一実施の形態の効果＞
この一実施の形態によれば、次の効果が得られる。
(1) 状態やレベルに応じて設定された複数の基準情報に入力情報が該当するかを判断し、入力情報に応じて選択される基準情報に対応した表示情報を生成させ、画像表示から入力情報の状態やレベルを直観的に認識させることができる。
(2) 基準情報に関係付けられた表示情報は、固定情報と切替え情報とを含み、切替え情報を基準情報によって異ならせて記憶しているので、入力情報の状態やレベルに応じて即座に変更または更新して表示することができる。
【実施例１】
【００２２】
＜状態またはレベルの表示＞
図４のＡ、ＢおよびＣは、実施例１に係るレベル表示の一例を示している。図４に示す構成は一例であり、斯かる構成に本発明が限定されるものではない。
このレベル表示１０２は既述の表示システム２で生成される表示情報の一例である。このレベル表示１０２にはふもとレベル表示１０４−１、途上レベル表示１０４−２、登頂レベル表示１０４−３が含まれる。ふもとレベル表示１０４−１は低レベル表示の一例であり、途上レベル表示４−２は中間レベル表示の一例であり、また、登頂レベル表示１０４−３は高レベル表示の一例である。
レベル表示１０２にはたとえば、複数の画素で画像を表示する画面表示部１０６が用いられる。図４のＡに示すように、ふもとレベル表示１０４−１では背景表示１０８、山表示１１０、登山者表示１１２、第１の段階表示１１４−１が含まれる。
登山者表示１１２には頭部１１６、胴部１１８、腕部１２０、脚部１２２が含まれる。ふもとレベル表示１０４−１では登山者表示１１２は正面向き表示である。
段階表示１１４−１は登山者表示１１２の出発点が山のふもとにあることを表す抜き文字の一例として「ふもと」が表示される。「ふもと」は最低レベルを示唆しており、最低レベル表示であれば「ふもと」なる表示に限定されない。
【００２３】
図４のＢは中間レベル表示を示し、この途上レベル表示１０４−２は最低レベルと最高レベルの間にある中間レベルを表示する。この途上レベル表示１０４−２には、背景表示１０８、山表示１１０、登山者表示１１２、段階表示１１４−１および第２の段階表示１１４−２が含まれる。
登山者表示１１２は山表示１１０の斜面を移動しているところ、胴部１１８、腕部１２０および脚部１２２は移動を表す態様表示である。この場合、登山者表示１１２はレベルに応じた高度へ移動させる。
段階表示１１４−１は、登山者表示１２の中間点のレベルを表す抜き文字「４合目」を表示している。段階表示１１４−２には複数のたとえば、２〜４個の段階表示１２４が含まれる。各段階表示１２４は登山者表示１１２の位置に対応し、異なる着色、明度、彩度または輝度で表し、レベルの変化を明示する。
【００２４】
図４のＣは登頂レベル表示１０４−３を示し、この登頂レベル表示１０４−３は高レベル表示の一例である。この登頂レベル表示１０４−３では、背景表示１０８、山表示１１０、登山者表示１１２、段階表示１１４−１、太陽表示１２８が含まれる。段階表示１１４−１には登頂レベルを表す抜き文字「登頂」および「！」を表示している。
登山者表示１１２は山表示１１０の頂部に移動し、正面向きで胴部１１８、腕部１２０および脚部１２２が登頂を感嘆し、風で旗めく様の手旗表示１３０が表示される。同時に、背景表示１０８には到達を顕彰する到達表示の一例として太陽表示１２８およびその太陽光線表示が表示される。
【００２５】
＜レベル表示１０２における固定表示部＞
図５のＡは、レベル表示１０２における山表示１１０の各部を示している。この山表示１１０は、レベル表示１０２における固定表示部の一例である。この固定表示部とは、既述の固定表示情報により生成され、レベルの変化や推移で影響を受けることなく固定状態に表示される表示領域である。
この山表示１１０は、富士山を彷彿とさせる山形状表示として、画面表示部１０６のやや右寄りに頂部を配した台形状であり、頂部１３２、稜線部１３４、１３６、雪冠部１３８および斜面部１４０が備えられる。
図５のＢは、レベル表示１０２における背景および斜面部１４０の表示態様を示している。この山表示１１０では、背景表示１０８および斜面部１４０を共通の着色表示とし、頂部１３２、稜線部１３４、１３６および雪冠部１３８をたとえば、白抜き表示としている。
【００２６】
＜レベル表示１０２における切替え表示部＞
図６は、レベル表示１０２の切替え表示部の表示変化を示している。図６において、図４および図５と同一部分には同一符号を付してある。
レベル表示１０２において、図中、背景表示１０８や破線で示す山表示１１０が静止ないし固定状態であるのに対し、登山者表示１１２、段階表示１１４−１、１１４−２、登山者表示１１２の頭部１１６、胴部１１８、腕部１２０、脚部１２２、太陽表示１２８、手旗表示１３０が動的な変化を呈する切替え表示である。これらは、既述の切替え表示情報により生成され、レベル段階で変化しまたは該当レベルで突如現れる表示である。
【００２７】
このレベル表示において、Ａは低レベル表示の一例であるふもとレベル表示１０４−１、Ｂは中間レベル表示の一例である途上レベル表示１０４−２１（２合目表示）、Ｃは中間レベル表示の一例である途上レベル表示１０４−２２（４合目表示）、Ｄは中間レベル表示の一例である途上レベル表示１０４−２３（６合目表示）、Ｅは中間レベル表示の一例である途上レベル表示１０４−２４（８合目表示）、Ｆは高レベル表示の一例である登頂レベル表示１０４−３（登頂表示）を示している。
なお、低レベル、高レベルおよび中間レベルは、レベルの相対的な関係であり、中間レベル表示のうち高レベル側を高レベル表示、低レベル側を低レベル表示とし、その中間を中間レベル表示としてよい。
【００２８】
＜レベル表示１０２の処理手順＞
図７はレベル表示１０２の処理手順を示している。この処理手順は動的な画像表示機能を備える表示素子をコンピュータ制御によって実現すればよい。
この処理手順では、固定表示部および切替え表示部を含むレベル表示情報を生成する（Ｓ２０１）。このレベル表示情報において、切替え表示部を変化させて低レベルを表す低レベル表示情報、切替え表示部を変化させて高レベルを表す高レベル表示情報、切替え表示部を変化させて中間レベルを表す単一または複数の中間レベル表示情報を生成する（Ｓ２０２）。
【００２９】
レベル情報とレベル表示情報を対比して表示レベルを判断し（Ｓ２０３）、既述のレベル表示情報から低レベル表示情報、中間レベル表示情報または高レベル表示情報を選択する（Ｓ２０４）。この結果、低レベル表示、中間レベル表示または高レベル表示の何れかのレベル表示をし、または現状のレベル表示から異なるレベル表示に変更する（Ｓ２０５）。この場合、中間レベル表示中のレベルの異なる複数のレベル表示情報を備えてもよく、その場合にはレベル情報に応じて該当するレベル表示を選択すればよい。
【００３０】
＜実施例１の効果＞
この実施例１によれば、次の効果が得られる。
(1) 固定表示部と切替え表示部とが対比され、切替え表示部の変化を以てレベル変化を認識させることができる。
(2) 斯かるレベル表示では、直観的且つ感覚的にレベルを感得でき、ユーザーの認識に訴えるレベル表示を提供できる。
【実施例２】
【００３１】
＜給湯システム＞
図８のＡは、実施例２に係る給湯システムを示している。図８のＡに示す構成は一例であり、斯かる構成に本発明が限定されるものではない。この給湯システムはたとえば、上水、浴槽水または暖房水を温水化する給湯装置などである。
この給湯システム１５０には熱源機１５２およびリモコン装置１５４が備えられる。熱源機１５２は、燃料ガスＧを燃焼させて得られる燃焼熱を上水に熱交換して得られる温水の浴槽１５６への給湯、一般給湯などの給湯機能、浴槽１５６の浴槽水ＢＷを燃焼熱で加熱するいわゆる追焚き機能などが備えられる。熱源機１５２の上水加熱で生成される温水を暖房に用いてもよい。
【００３２】
この熱源機１５２には熱源機制御部１５８が備えられ、この熱源機制御部１５８には有線または無線によりリモコン装置１５４が接続される。このリモコン装置１５４には浴室に設置される浴室リモコン、台所に設置される台所リモコンが含まれる。このリモコン装置１５４ではリモコン制御部１６０および情報表示部１６２が備えられる。リモコン制御部１６０は、熱源機制御部１５８と連係し、熱源機１５２の給湯制御、追焚き制御などの制御に用いられるとともに、情報表示部１６２の表示制御を行う。
【００３３】
＜リモコン装置５４＞
図８のＢは、給湯システム１５０におけるリモコン装置１５４を示している。リモコン制御部１６０には入力部１６４が接続され、この入力部１６４から設定情報が入力される。この設定情報には浴槽水ＢＷの設定温度や設定レベルなどが含まれる。
リモコン制御部１６０には情報取込み部１６６、記憶部１６８、演算部１７０、表示制御部１７２が含まれる。
情報取込み部１６６は、熱源機１５２から状態情報またはレベル情報が入力される入力部の一例である。この情報取込み部１６６には、熱源機１５２から現在の動作情報状態を表すレベル情報としてたとえば、水位情報などが取り込まれる。入力部１６４にはタッチパネルやスイッチが備えられ、設定レベル情報などが入力される。
【００３４】
記憶部１６８はＲＯＭ、ＲＡＭ、ＥＥＰＲＯＭなどの記憶素子を備え、プログラムや既述の設定情報などが格納される。この設定情報には、設定レベルやレベル表示情報などが含まれる。
演算部１７０は、設定情報と情報取込み部１６６からのレベル情報とを比較し、レベル情報の到達度合いとしてたとえば、目標達成率などを演算し、この目標達成率に応じた表示情報を算出する。
表示制御部１７２では、予め生成に係るたとえば、記憶部１６８に格納しているレベル表示情報から該当するレベル表示情報を選択し、情報表示部１６２に提供する。
情報表示部１６２には画像表示手段としてたとえば、ＬＣＤが備えられ、既述のレベル表示が行われる。
【００３５】
＜リモコン装置１５４の前面パネル部＞
図９のＡはリモコン装置１５４の前面パネル部を示している。この前面パネル部１７４の中央上部には表示画面部１７６が備えられ、この表示画面部１７６を以て既述のレベル表示が行われる。この表示画面部１７６にはタッチセンサ１７８が備えられる。このタッチセンサ１７８は入力部１６４に含まれ、ダイヤログなどの選択入力などの入力操作に用いられる。
この表示画面部１７６の下側には、スピーカ１８０の放音孔１８２、通話ボタン１８４および動作表示部１８６、電源スイッチ１８８が備えられる。
【００３６】
＜画面表示＞
図９のＢは表示画面部１７６に現れる画面表示を示している。この画面表示１９０には床暖房表示１９０−１、ふろ設定表示１９０−２、メニュー表示１９０−３、ふろ自動表示１９０−４が含まれる。これら床暖房表示１９０−１、ふろ設定表示１９０−２、メニュー表示１９０−３、ふろ自動表示１９０−４の選択のため、画面表示１９０の下部にはインデックス部１９２が備えられる。また、画面表示１９０の上部には共通に現在時点の日時を表す時間表示部１９３が備えられる。
ふろ自動表示１９０−４にはお湯張り中表示１９４が含まれる。このお湯張り中表示１９４では、タイトル表示部１９６、ふろ表示部１９８、水位表示部２００、給湯温度表示部２０２が備えられる。タイトル表示部１９６にはお湯張り中表示１９４を表すタイトルとしてたとえば、「お湯張り中」が表示される。
ふろ表示部１９８には浴槽イラスト、浴槽温度、浴槽水レベルの各表示が含まれる。水位表示部２００には水位を表すタイトル表示とともに、既述のレベル表示１０２（図４〜図６）が用いられている。
給湯温度表示部２０２には温度昇降指示ボタン、給湯温度、給湯モード、優先モード、燃焼表示などが含まれる。
【００３７】
＜達成率表示パターン＞
図１０は、達成率表示パターンを示している。この達成率表示パターンには複数の段階的表示として、達成率１００〔％〕以上を表す表示、達成率８０〔％〕以上〜１００〔％〕未満を表す表示、達成率６０〔％〕以上〜８０〔％〕未満を表す表示、達成率４０〔％〕以上〜６０〔％〕未満を表す表示、達成率２０〔％〕以上〜４０〔％〕未満を表す表示、達成率２０〔％〕未満を表す表示が含まれる。
Ａは達成率１００〔％〕以上を表す登頂表示パターン、Ｂは達成率８０〔％〕以上〜１００〔％〕未満を表す８合目表示パターン、Ｃは達成率６０〔％〕以上〜８０〔％〕未満を表す６合目表示パターン、Ｄは達成率４０〔％〕以上〜６０〔％〕未満を表す４合目表示パターン、Ｅは達成率２０〔％〕以上〜４０〔％〕未満を表す２合目表示パターン、Ｆは達成率２０〔％〕未満を表すふもと表示パターンを示している。
【００３８】
＜達成率表示の処理手順＞
図１１は達成率表示の処理手順を示している。この処理手順では、リモコン制御部１６０が初期設定の後、動作中の熱源機１５２から動作情報を取得する（Ｓ３０１）。リモコン制御部１６０は取得した動作情報から現在情報を抽出する（Ｓ３０２）。
リモコン制御部１６０の演算部１７０は、現在情報と設定（目標）情報とを比較し（Ｓ３０３）、設定情報と現在情報を用いて達成率を算出する（Ｓ３０４）。この達成率は、設定情報に対する現在情報の到達度合いを表す数値情報である。
この達成率について、達成率と符合する表示パターンを選択し情報表示部１６２に提供し、その表示パターンを表示する（Ｓ３０５）。
この処理手順では、動作情報を継続的に取得し、表示内容を更新すればよい。
【００３９】
＜実施例２の効果＞
この実施例２によれば、次の効果が得られる。
(1) ふろ給湯装置などに接続されるリモコン装置の表示に活用できる。
(2) リモコン装置１５４ではふろ給湯装置などの動作設定とともに、動作状態の表示を行うことができる。
(3) この状態表示は、加熱動作の稼働状況表示、設定温度表示などを行うことができ、自動運転での浴槽湯張り動作時、その進捗状況表示に利用でき、リモコン表示の利便性を高めることができる。
(4) 進捗状況表示について、その段階表示として最終段階を１００〔％〕、達成度合いや〔％〕表示などの表示、棒グラフ表示が可能であるが、実施例２では、山（富士山）表示１１０登山者表示１１２を加え、進捗状況を複数の切替え表示を以て実現しており、ユーザーに直観的かつ感覚的に現在状況を認識させることができる。
(5) 実施例２では進捗状況として目標値に対する達成度を『ふもと』、『２合目』、『４合目』、『６合目』、『８合目』、『登頂！』の複数段階表示とし、達成度が『ふもと』表示では２０〔％〕未満、『２合目』表示では２０〔％〕以上４０〔％〕未満、『４合目』表示では４０〔％〕以上６０〔％〕未満、『６合目』表示では６０〔％〕以上８０〔％〕未満、『８合目』表示では８０〔％〕以上１００〔％〕未満、『登頂！』表示では１００〔％〕以上を表し、固定表示部と切替え表示部の組み合わせの段階変化を含むイラスト表示で実現し、認識し易い表示を提供できる。
(6) このリモコン表示は台所リモコンまたは浴室リモコンの何れに使用してよく、入浴者などに感覚に沿った湯張り中などの表示を提供できる。
【実施例３】
【００４０】
図１２は、実施例３に係るリモコン表示を示している。図１２において、図１０と同一部分には同一符号を付してある。
実施例２では水位表示にレベル表示を利用したが、実施例３では目標達成度、節約達成度、使用実績などの評価値に符合する表示パターンを設定してよい。
この表示パターンでは、リモコン装置１５４がガス、お湯（水）、電気などの利用状況を表示する機能を備えた場合には、使用量、使用料金の目標値を設定し、使用量の推移や目標値の達成状況たとえば、節約、使い過ぎなどを表示することができる。
【００４１】
＜実施例３の効果＞
この実施例３によれば、次の効果が得られる。
(1) ガス使用量やお湯使用量は、熱源機１５２の使用量であり、リモコン制御部１６０をガスメーターや電力メーターなどに接続すれば、電気、ガス、水道などのエネルギー利用状況を確認することができる。
(2) 目標達成度やグラフ表示などの規格を実現するため、節約達成度を算出する計算式を設定すれば、その達成度に符合するレベル表示を実現できる。
【実施例４】
【００４２】
図１３は実施例４に係る表示画面部１７６の画面表示を示している。この画面表示２０４にはガス表示２０４−１、電力表示２０４−２、お湯表示２０４−３、光熱費表示２０４−４が含まれる。これらガス表示２０４−１、電力表示２０４−２、お湯表示２０４−３または光熱費表示２０４−４の選択のため、画面表示２０４の上部にはインデックス部２０６が備えられる。
ガス表示２０４−１には、目標値表示部２０８、達成度表示部２１０および戻るボタン部２１２が含まれる。
目標値表示部２０８にはタイトルとして「ガス／目標値（％）」が表示されるとともに、スケールおよび棒グラフが表示されている。棒グラフの先端がスケール上で目標達成度を示している。
達成度表示部２１０にはレベル表示部２１４、数値表示部２１６が含まれる。レベル表示部２１４には既述のレベル表示１０２（図４〜図６）が用いられている。数値表示部２１６には目標値に対する評価表示として、「目標達成度」の表示とともに数値（％）が表示されている。
戻るボタン部２１２はガス表示２０４−１から前表示画面の表示に戻る際のタッチ入力操作に用いられる。
【００４３】
＜実施例４の効果＞
このような表示画面を備えた場合にも達成度などの評価表示に既述のレベル表示１０２を利用でき、ユーザーに達成度などの状況を直観的且つ感覚的に認識させることができる。
【００４４】
〔他の実施の形態〕
(1) 実施例２では、設定浴槽水位に対する水位の達成度を表示しているが、このような水位表示に限らず、設定注湯量に対する注湯量状態の表示をしてもよいし、自動湯張りモードにおいて、湯張りの経過時間を設定時間に対する到達度として表示してもよい。
(2) 実施例２〜４ではリモコン装置のレベル表示を例示したが、本発明のレベル表示はリモコン以外の計測器や制御機器の表示に用いてもよい。
以上説明したように、表示システムやリモコン装置の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うま  でもない。
【産業上の利用可能性】
【００４５】
本発明によれば、固定表示および切替え表示を含むレベル表示を生成し、切替え表示をレベルによって変化させ、ユーザーに状態や達成度などのレベル変化を容易かつ直観的に認識させることができる。
【符号の説明】
【００４６】
２  表示システム
４  入力部
６  制御部
８  記憶部
１０  表示部
１２  情報取込み制御
１４  表示情報格納制御
１６  入力情報変換制御
１８  表示情報生成・更新制御
２０  画像制御
２２  表示情報ファイル
２４  入力情報変換ファイル
２６  基準情報部
２８  表示情報部
３０  固定表示情報部
３２  切替え表示情報部
１０２  レベル表示
１０４−１  ふもとレベル表示
１０４−２  途上レベル表示
１０４−３  登頂レベル表示
１０６  画面表示部
１０８  背景表示
１１０  山表示
１１２  登山者表示
１１４−１  第１の段階表示
１１４−２  第２の段階表示
１１４−２１、１１４−２２、１１４−２３、１１４−２４  途上レベル表示
１１６  頭部
１１８  胴部
１２０  腕部
１２２  脚部
１２４  段階表示
１２８  太陽表示
１３０  手旗表示
１３２  頂部
１３４、１３６  稜線部
１３８  雪冠部
１４０  斜面部
１５０  給湯システム
１５２  熱源機
１５４  リモコン装置
１５６  浴槽
１５８  熱源機制御部
１６０  リモコン制御部
１６２  情報表示部
１６４  入力部
１６６  情報取込み部
１６８  記憶部
１７０  演算部
１７２  表示制御部
１７４  前面パネル部
１７６  表示画面部
１７８  タッチセンサ
１８０  スピーカ
１８２  放音孔
１８４  通話ボタン
１８６  動作表示部
１８８  電源スイッチ
１９０  画面表示
１９０−１  床暖房表示
１９０−２  ふろ設定表示
１９０−３  メニュー表示
１９０−４  ふろ自動表示
１９２  インデックス部
１９４  お湯張り中表示
１９６  タイトル表示部
１９８  ふろ表示部
２００  水位表示部
２０２  給湯温度表示部
２０４  画面表示
２０４−１  ガス表示
２０４−２  電力表示
２０４−３  お湯表示
２０４−４  光熱費表示
２０６  インデックス部
２０８  目標値表示部
２１０  達成度表示部
２１２  戻るボタン部
２１４  レベル表示部
２１６  数値表示部
【図１】
2019174036.tif 000003
【図２】
2019174036.tif 000004
【図３】
2019174036.tif 000005
【図４】
2019174036.tif 000006
【図５】
2019174036.tif 000007
【図６】
2019174036.tif 000008
【図７】
2019174036.tif 000009
【図８】
2019174036.tif 000010
【図９】
2019174036.tif 000011
【図１０】
2019174036.tif 000012
【図１１】
2019174036.tif 000013
【図１２】
2019174036.tif 000014
【図１３】
2019174036.tif 000015